(57)【要約】【課題】器具本体に対する蛍光灯電子安定器の配置が制約されず且つ蛍光灯の光を無用に遮ることなく輻射雑音を低減する。【解決手段】一端側でランプ４の外周面（管壁）と接触し且つ他端側で器具本体１と導通する複数の導電性部材６が、反射板３の両側の傾斜面において器具本体１の長手方向に沿うようにほぼ等間隔に配置されている。ランプ４の管壁と反射板３や器具本体１との間に生じる浮遊容量によってランプ４と反射板３及び器具本体１とが容量結合して閉ループが形成され、該閉ループに安定器５から出力された高周波電流が流れることで漏洩電波（輻射雑音）が放射されるのであるが、導電性部材６によって前記閉ループを解消することで輻射雑音を低減することができる。しかも、従来例のように器具本体１に対する安定器５の配置が制約されることがなく且つランプ４の光を無用に遮ることもない。【選択図】図１
2007213968.tif 000002
【特許請求の範囲】
【請求項１】
直管形の蛍光灯が着脱自在に装着される少なくとも一対のランプソケットと、金属材料製であって長手方向の両端部に各々ランプソケットが配設される器具本体と、器具本体に取り付けられランプソケットを介して蛍光灯を点灯する蛍光灯電子安定器と、蛍光灯電子安定器を覆うように器具本体に取り付けられ蛍光灯の光を反射する反射板と、一端側で蛍光灯の外周面と接触し且つ他端側で器具本体と導通する１乃至複数の導電性部材とを備えたことを特徴とする蛍光灯照明器具。
【請求項２】
導電性部材は、器具本体の長手方向における中心に対して低電圧側のランプソケット寄りに配置されていることを特徴とする請求項１記載の蛍光灯照明器具。
【請求項３】
器具本体の長手方向における中心に対して高電圧側のランプソケット寄りに設けられてランプソケットに装着された蛍光灯を支持する絶縁材料製の支持部材を備え、導電性部材は、ランプソケットに装着された蛍光灯を支持する支持部を有することを特徴とする請求項２記載の蛍光灯照明器具。
【請求項４】
導電性部材を挿通する孔が反射板に設けられたことを特徴とする請求項１〜３の何れかに記載の蛍光灯照明器具。
【発明の詳細な説明】
【技術分野】
【０００１】
本発明は、蛍光灯照明器具に関し、特に蛍光灯電子安定器により直管形の蛍光灯を点灯する蛍光灯照明器具に関するものである。
【背景技術】
【０００２】
近年、銅鉄形安定器に代わって、インバータ回路により商用周波（５０Ｈｚ又は６０Ｈｚ）から高周波（例えば、５０ｋＨｚ）に変換して蛍光灯を点灯させる蛍光灯電子安定器を備えた蛍光灯照明器具が普及している。かかる蛍光灯照明器具では、蛍光灯電子安定器から発生する雑音（高周波ノイズ）が他の機器に悪影響を及ぼさないように対策する必要がある。
【０００３】
例えば、蛍光灯電子安定器（以下、安定器と略す。）とランプソケットを接続する配線から放射される輻射雑音を対策した蛍光灯照明器具が提案されている（特許文献１参照）。この従来例においては、インバータ回路を搭載したプリント配線板を金属製のケースに収納してなる安定器を備え、インバータ回路の電位変動側出力端子を一方のランプソケットに近接配置するとともに電位安定側出力端子を他方のランプソケットに近い側に配置することにより、電位変動側出力端子とランプソケットの間の配線長を短く且つ電位安定側出力端子とランプソケットの間の配線から距離を離すことで電位変動側出力端子とランプソケットの間の配線から放射される電磁波が電位安定側出力端子とランプソケットの間の配線に及ぼす影響を抑えて輻射雑音を低減している。これ以外にも、器具本体の開口面側に金属製のルーバを設けて輻射雑音を低減したものも提案されている。
【特許文献１】特開２０００−１３８００９公報
【発明の開示】
【発明が解決しようとする課題】
【０００４】
しかしながら、上記特許文献１に記載されている従来例では、器具本体に対して安定器を片側に寄せて配置させる必要があり、器具本体の重量バランスが一端側に極端に偏ってしまうために持ち運びがし難いものであった。また、ルーバのような金属部材を蛍光灯の前方に配置した場合には蛍光灯の光が金属部材によって遮られてしまう。
【０００５】
本発明は上記事情に鑑みて為されたものであり、その目的は、器具本体に対する蛍光灯電子安定器の配置が制約されず且つ蛍光灯の光を無用に遮ることなく輻射雑音を低減することができる蛍光灯照明器具を提供することにある。
【課題を解決するための手段】
【０００６】
請求項１の発明は、上記目的を達成するために、直管形の蛍光灯が着脱自在に装着される少なくとも一対のランプソケットと、金属材料製であって長手方向の両端部に各々ランプソケットが配設される器具本体と、器具本体に取り付けられランプソケットを介して蛍光灯を点灯する蛍光灯電子安定器と、蛍光灯電子安定器を覆うように器具本体に取り付けられ蛍光灯の光を反射する反射板と、一端側で蛍光灯の外周面と接触し且つ他端側で器具本体と導通する１乃至複数の導電性部材とを備えたことを特徴とする。
【０００７】
請求項２の発明は、請求項１の発明において、導電性部材は、器具本体の長手方向における中心に対して低電圧側のランプソケット寄りに配置されていることを特徴とする。
【０００８】
請求項３の発明は、請求項２の発明において、器具本体の長手方向における中心に対して高電圧側のランプソケット寄りに設けられてランプソケットに装着された蛍光灯を支持する絶縁材料製の支持部材を備え、導電性部材は、ランプソケットに装着された蛍光灯を支持する支持部を有することを特徴とする。
【０００９】
請求項４の発明は、請求項１〜３の何れかの発明において、導電性部材を挿通する孔が反射板に設けられたことを特徴とする。
【発明の効果】
【００１０】
本発明によれば、蛍光灯の管壁と反射板や器具本体との浮遊容量による容量結合を導電性部材によって解消することで輻射雑音を低減することができる。
【発明を実施するための最良の形態】
【００１１】
以下、本発明を天井直付け形の施設用照明器具に適用した実施形態について、図１〜図５を参照して詳細に説明する。
【００１２】
本実施形態は、下面側が開放された断面略コ字形に形成されて天井に取り付けられる器具本体１（図４参照）と、器具本体１の長手方向の両端部にそれぞれ設けられた各一対のソケット（ランプソケット）２と、開放された下面側を覆うように器具本体１に取り付けられる断面略Ｖ字形の反射板３と、器具本体１に長手方向が一致する形でそれぞれソケット２間に保持される２本の直管形のランプ（蛍光灯）４とを備えている。なお、本実施形態は、いわゆる富士型の蛍光灯照明器具である。
【００１３】
器具本体１は金属板を折り曲げ加工して形成され、図４に示すように天井に設けられた取付ボルト８２が挿通される一対の挿通孔１ｂが穿孔されている。すなわち、器具本体１を天井に取り付ける際には、該挿通孔１ｂに挿通された取付ボルト８２に座金８３を介装してナット８４を締め付ければよい。また、器具本体１は、長手方向の略中央に、商用電源よりなる交流電源に接続され天井裏に先行配線されている電源線８１を引き込むための電源穴１ａが穿孔されており、長手方向において電源穴１ａを挟むように端子台７及び安定器（蛍光灯電子安定器）５が配設されている。ここに、電線穴１ａを通して引き込まれた電源線８１は端子台７に接続される。尚、安定器５は、１乃至複数のスイッチング素子をスイッチングすることで商用周波から高周波に変換するインバータ回路等が実装されたプリント配線板（図示せず）を金属製のケース５ａに収納して構成されているが、詳細については従来周知であるから図示並びに説明を省略する。
【００１４】
また、器具本体１には、反射板３を取り付けるための固定具１８が設けられ、一方、反射板３には、各固定具１８にそれぞれ取着されるラッチ３２が設けられている。
【００１５】
反射板３は金属板を折り曲げ加工して形成され、長手方向の両端部において、ソケット２が挿通されるソケット挿通孔３１が設けられている。そして、２本のランプ４は、断面略Ｖ字形の反射板３の頂部を挟む形で互いに平行になるように配置されている。
【００１６】
ここで本実施形態では、一端側でランプ４の外周面（管壁）と接触し且つ他端側で器具本体１と導通する複数（図示例では３つ）の導電性部材６が、反射板３の両側の傾斜面において器具本体１の長手方向に沿うようにほぼ等間隔に配置されている。この導電性部材６は、電気の良導体である薄い金属板（例えば、アルミニウム板）からなり、反射板３に設けられている挿通孔３３を通して外部に露出する先端部分に、ランプ４の管壁を把持する半環状の支持片６１が形成されている。また、挿通孔３３を通して反射板３の内側に引き込まれる導電性部材６の後端部には、器具本体１と接触導通する接触片６２が形成されている。尚、安定器５の回路グランドがケース５ａを介して器具本体１に電気的に接続されており、その結果、これら３つの導電性部材６が、器具本体１を介して安定器５の回路グランドと電気的に接続されることになる。
【００１７】
ところで本実施形態においては、器具本体１における長手方向中央から一端側（後述する低圧側のソケット２寄り）に偏って３つの導電性部材６が配設されており、器具本体１における長手方向中央から他端側（後述する高圧側のソケット２寄り）には、絶縁性材料からなる複数（図示例では３つ）の支持部材８が、反射板３の両側の傾斜面において器具本体１の長手方向に沿って導電性部材６と一列に並ぶようにほぼ等間隔で配置されている。この支持部材８は、アクリル樹脂のような透光性を有する合成樹脂材料からなり、基端部において反射板３に取り付けられ、半環状に形成された先端部でランプ４の管壁を把持するものである。尚、低圧側のソケット２とは、安定器５の回路グランド側に接続されている出力端と接続されているソケット２を指し、高圧側のソケット２とは、安定器５の回路グランドに接続されていない出力端と接続されているソケット２を指す。
【００１８】
而して、ランプ４の管壁と反射板３や器具本体１との間に生じる浮遊容量によってランプ４と反射板３及び器具本体１とが容量結合して閉ループが形成され、該閉ループに安定器５から出力された高周波電流が流れることで漏洩電波（輻射雑音）が放射されるのであるが、本実施形態では、導電性部材６によって前記閉ループを解消することで輻射雑音を低減することができ、しかも、従来例のように器具本体１に対する安定器５の配置が制約されることがなく且つランプ４の光を無用に遮ることもないものである。ここで、ＶＣＣＩ（情報処理装置等電波障害自主規制協議会）で規定されている漏洩電波試験の測定方法により、本実施形態の漏洩電波（輻射雑音）を測定した結果を図５（ａ）に示し、従来例の測定結果を図５（ｂ）に示す。但し、図５においては漏洩電波の垂直偏波を実線イで示し、水平偏波を実線ロで示している。また、参考までにＶＣＣＩ  ＣｌａｓｓＢの基準値を直線ハで示している。
【００１９】
図５の実験結果から明らかなように、従来例では３０ＭＨｚと９０ＭＨｚの付近に４２ｄＢの漏洩電波（輻射雑音）のピークが存在するが（図５（ｂ）参照）、本実施形態では３０ＭＨｚ付近のピーク値が２８ｄＢまで低減されている。尚、本発明に係る蛍光灯照明器具については、ＶＣＣＩにおける３０ＭＨｚ以上の規制対象に含まれていないが、漏洩電波が少ない方が望ましいことは言うまでもない。
【００２０】
ところで、本実施形態では、３つの導電性部材６を器具本体１における長手方向中央から低圧側のソケット２寄りに偏って配置しているが、絶縁材料製の支持部材８の代わりに導電性部材６を配置しても構わない。但し、ランプ４の高圧側（高圧側のソケット２に接続されている口金側）に比べて、低圧側（低圧側のソケット２に接続されている口金側）の閉ループの距離が長くなって漏洩電波の放射に及ぼす影響が大きいので、本実施形態のように導電性部材６を低圧側のソケット２寄りにのみ偏って配置しても、上述の測定結果から明らかなように漏洩電波を十分に低減することができる。
【００２１】
また、金属製の導電性部材６を器具本体１の片側に偏って配置した場合にランプ４の支持バランスが悪くなってしまうが、本実施形態では、絶縁材料製の支持部材８を導電性部材６と反対側に偏って配置することでランプ４の支持バランスの悪化を防ぐことができる。さらに、支持部材８を透明な樹脂材料で形成しているから、ランプ４の光が支持部材８で遮られるのを防ぐことができる。しかも、導電性部材６を挿通する挿通孔３３がランプ４と対向する反射板３の射面に設けられているため、導電性部材６の全長を短くして電気抵抗の増大を抑えることができるとともに、導電性部材６による反射効率の低下が抑制できるという利点がある。
【図面の簡単な説明】
【００２２】
【図１】本発明の実施形態を示し、（ａ）は正面図、（ｂ）は上面図、（ｃ）は左側面図である。
【図２】同上の斜視図である。
【図３】同上の半断面図である。
【図４】同上の分解斜視図である。
【図５】漏洩電波の測定結果を示し、（ａ）は本実施形態、（ｂ）は従来例である。
【符号の説明】
【００２３】
１  器具本体
２  ソケット
３  反射板
４  ランプ
５  安定器
６  導電性部材
８  支持部材
【図１】
2007213968.tif 000003
【図２】
2007213968.tif 000004
【図３】
2007213968.tif 000005
【図４】
2007213968.tif 000006
【図５】
2007213968.tif 000007